(57)【要約】【課題】製品本体を高くせず、信頼性を確保しつつ洗濯槽兼脱水槽の容量を増すこと。【解決手段】モータ７の駆動力をパルセータ５および洗濯兼脱水槽４に伝達する回転軸１０と、回転軸１０と洗濯兼脱水槽４の底部４ａとを連結支持する金属製のフランジ２３とを備え、フランジ２３は、フランジ２３の外周部で洗濯兼脱水槽４の底部４ａにインサート成形により固定され、フランジ２３の中央部からインサート成形の境界部２３ａに向けて下方に傾斜する傾斜部３１を有し、傾斜部３１の端部３２ａに水抜き孔２５を設けたことにより、製品本体の高さを高くすることなく、洗濯兼脱水槽の容積を大型化すると共に、フランジと洗濯兼脱水槽との固定強度の確保と、製品の信頼性を向上することができる。【選択図】図１
2014090945.tif 000002
【特許請求の範囲】
【請求項１】
外枠に弾性支持された水槽と、前記水槽に回転自在に内設された洗濯兼脱水槽と、前記洗濯兼脱水槽の中央底部に回転自在に設けられたパルセータと、前記パルセータおよび前記洗濯兼脱水槽を回転駆動するモータと、前記モータの駆動力を前記パルセータおよび前記洗濯兼脱水槽に伝達する回転軸と、前記回転軸と前記洗濯兼脱水槽の底部とを連結支持する金属製のフランジとを備え、前記フランジは、前記フランジの外周部で前記洗濯兼脱水槽の底部にインサート成形により固定され、前記フランジの中央部から前記インサート成形の境界部に向けて下方に傾斜する傾斜部を有し、前記傾斜部の端部に水抜き孔を設けたことを特徴とする洗濯機。
【請求項２】
前記傾斜部は、前記フランジの中央部から外方へ延伸された放射形状とした請求項１に記載の洗濯機。
【発明の詳細な説明】
【技術分野】
【０００１】
本発明は、回転軸を備えたフランジを洗濯兼脱水槽にインサート成形した洗濯機に関するものである。
【背景技術】
【０００２】
従来、この種の洗濯機は、衣類の撹拌、脱水を行なうための洗濯兼脱水槽の底部には、洗濯兼脱水槽に回転軸の回転を伝達するためのフランジを設けており、そのフランジは洗濯兼脱水槽の底部に複数のネジで締結固定されていた。（例えば、特許文献１参照）。
【０００３】
図４は、特許文献１に記載された従来の洗濯機の縦断面図である。
【０００４】
図４において、水槽４３に回転自在に内包された洗濯兼脱水槽４１の中央内底部に衣類撹拌用のパルセータ４２を回転自在に配し、水槽４３の外底部には、モータ４８や機構駆動部５０が配置された基板４４が固定されている。基板４４の外縁は、外枠４５の上部角隅より防振装置４６を介し吊り下げられている。回転軸４７は、モータ４８の回転力をベルト４９と機構駆動部５０を介してパルセータ４２および洗濯兼脱水槽４１に伝達する。
【０００５】
洗濯兼脱水槽４１の外底部にはフランジ５１が複数のねじ（図示せず）によりねじ締結されており、回転軸４７とフランジ５１とをナット５５で締結支持することにより、モータ４８の回転力が洗濯兼脱水槽４１に伝達されるよう構成されている。
【０００６】
また、フランジ５１を金属で形成し、洗濯兼脱水槽４１の底部にインサート成形されたものも提案されている。（例えば、特許文献２参照）。この構成では、洗濯兼脱水槽４１の高さ内にフランジ５１を収納することができるので、洗濯兼脱水槽４１の、パルセータ４２の底部から下の高さを低くすることができ、洗濯兼脱水槽４１の容積を大型化し、被洗浄物の収容量を増やすことができる。
【先行技術文献】
【特許文献】
【０００７】
【特許文献１】実開平３−６８８７９号公報
【特許文献２】特許第３１２３７００号公報
【発明の概要】
【発明が解決しようとする課題】
【０００８】
しかしながら、前記従来の構成では、洗濯兼脱水槽に回転軸の回転を伝達するフランジを、洗濯兼脱水槽の外側底面にねじで締結する場合には、フランジの固定強度を確保するため、フランジをアルミダイカストなどの金属で成形する。そのため、水槽内において洗濯兼脱水槽とフランジとを固定するには所定の高さスペースが必要となり、使用者の使い勝手を良くするために洗濯兼脱水槽の容積を大きくしながら洗濯機の高さ寸法を小さくしようとしても、それを実現することは難しかった。
【０００９】
また、フランジを洗濯兼脱水槽の外側底面にインサート成形する場合には、運転中に振動が大きくならないようにするために、フランジに設けた回転軸を含む部分は、少なくとも洗濯兼脱水槽の樹脂で覆わない構成にしなければならず、フランジと洗濯兼脱水槽との間には境界部６１が存在することになる。このため、図５に示すように、インサート成形の境界部６１にわずかな隙間６２が発生したりすると、隙間６２に洗濯水の残水が浸入し、冬季ではこの残水が凍結によって膨張することで、隙間６２が拡大しフランジと洗濯兼
脱水槽の底部とが剥離してしまい、製品の信頼性が低下するという課題を有していた。
【００１０】
本発明は、上記従来の課題を解決するもので、製品本体の高さを高くすることなく、洗濯兼脱水槽の容積を大型化すると共に、フランジと洗濯兼脱水槽との固定強度の確保と、製品の信頼性を向上することを目的としている。
【課題を解決するための手段】
【００１１】
前記従来の課題を解決するため、本発明の洗濯機は、外枠に弾性支持された水槽と、前記水槽に回転自在に内設された洗濯兼脱水槽と、前記洗濯兼脱水槽の中央底部に回転自在に設けられたパルセータと、前記パルセータおよび前記洗濯兼脱水槽を回転駆動するモータと、前記モータの駆動力を前記パルセータおよび前記洗濯兼脱水槽に伝達する回転軸と、前記回転軸と前記洗濯兼脱水槽の底部とを連結支持する金属製のフランジとを備え、前記フランジは、前記フランジの外周部で前記洗濯兼脱水槽の底部にインサート成形により固定され、前記フランジの中央部から前記インサート成形の境界部に向けて下方に傾斜する傾斜部を有し、前記傾斜部の端部に水抜き孔を設けたものである。
【００１２】
これにより、製品本体の高さを高くすることなく、洗濯兼脱水槽の容積を大型化すると共に、フランジと洗濯兼脱水槽との固定強度の確保と、製品の信頼性を向上することができる。
【発明の効果】
【００１３】
本発明の洗濯機は、製品本体の高さを高くすることなく、洗濯兼脱水槽の容積を大型化すると共に、フランジと洗濯兼脱水槽との固定強度の確保と、製品の信頼性を向上することができる。
【図面の簡単な説明】
【００１４】
【図１】本発明の実施の形態における洗濯機の縦断面図
【図２】同洗濯機のフランジのインサート成形部の要部平面図
【図３】同洗濯機のフランジのインサート成形部の要部断面図
【図４】従来の洗濯機の縦断面図
【図５】従来の洗濯機のフランジのインサート成形部の要部断面図
【発明を実施するための形態】
【００１５】
第１の発明は、外枠に弾性支持された水槽と、前記水槽に回転自在に内設された洗濯兼脱水槽と、前記洗濯兼脱水槽の中央底部に回転自在に設けられたパルセータと、前記パルセータおよび前記洗濯兼脱水槽を回転駆動するモータと、前記モータの駆動力を前記パルセータおよび前記洗濯兼脱水槽に伝達する回転軸と、前記回転軸と前記洗濯兼脱水槽の底部とを連結支持する金属製のフランジとを備え、前記フランジは、前記フランジの外周部で前記洗濯兼脱水槽の底部にインサート成形により固定され、前記フランジの中央部から前記インサート成形の境界部に向けて下方に傾斜する傾斜部を有し、前記傾斜部の端部に水抜き孔を設けたことにより、製品本体の高さを高くすることなく、洗濯兼脱水槽の容積を大型化すると共に、フランジと洗濯兼脱水槽との固定強度の確保と、製品の信頼性を向上することができる。
【００１６】
第２の発明は、特に、第１の発明の傾斜部は、前記フランジの中央部から外方へ延伸された放射形状としたことにより、一層、フランジと洗濯兼脱水槽との固定強度が向上するものである。
【００１７】
以下、発明の実施の形態について、図面を参照しながら説明する。また、この実施の形態によって本発明が限定されるものではない。
【００１８】
（実施の形態１）
図１は本発明の実施の形態における洗濯機の縦断面図を示すものである。
【００１９】
図１において、洗濯機１は、吊り棒２を含んで一体構成された防振装置（図示せず）により、外枠３３から水槽３が弾性支持されており、水槽３の内部には有底円筒状の洗濯兼脱水槽４が回転自在に設けられている。
【００２０】
洗濯兼脱水槽４は、底部にパルセータ５が回転自在に配設され、パルセータ５と一体に下側羽根６が形成されている。モータ７は、Ｖベルト８および減速機構９および回転軸１０を介して、パルセータ５または洗濯兼脱水槽４を回転駆動する。
【００２１】
リント用循環水路１１および散水ノズル用循環水路１２は、パルセータ５の下側羽根６外周のポンプ室１３から洗濯兼脱水槽４の上部に至るように設けられ、上部に着脱可能なリントフィルタ１４および散水ノズル１５がそれぞれ設けられている。
【００２２】
排水弁１６は、水槽３内の洗濯水を排水するものであり、給水弁１７は、水槽３内に給水するものである。洗濯機１の上部を構成する上部枠体１８に蓋１９が開閉自在に設けられ、また、上部枠体１８の前方内部に制御手段２０が設けられている。洗濯兼脱水槽４の上部には脱水時の振動を低減させるための流体バランサ２１が設けられ、この流体バランサ２１の中心側に柔軟剤自動流出装置２２が設けられている。
【００２３】
給水弁１７からの水道水が水槽３内の洗濯兼脱水槽４内に確実に給水されるように、給水弁１７に連通する給水口１７ａは、洗濯兼脱水槽４の流体バランサ２１の開口部２１ａ上方に配置されている。
【００２４】
図２は、本発明の実施の形態における洗濯兼脱水槽にインサート成形されたフランジの要部平面図、図３は、洗濯兼脱水槽にインサート成形されたフランジの要部断面図を示すものである。図２、図３を用いて、インサート成形されたフランジについて説明する。
【００２５】
洗濯兼脱水槽４は、ポリプロピレン等の合成樹脂で形成されており、その底部４ａには、アルミニウム合金等の金属で形成された略円盤状のフランジ２３が、フランジ２３の中央部に設けた回転軸１０と洗濯兼脱水槽４とを連結支持するようインサート成形により埋設固定されている。また、フランジ２３には、洗濯兼脱水槽４内の洗濯水を抜くための水抜き孔２５が複数個形成されている。
【００２６】
フランジ２３は、その中央部に回転軸１０を設けているので、回転軸１０を設けた中央部近傍は洗濯兼脱水槽４にインサート成形していない。フランジ２３の中央部を除く外周部分でインサート成形を施し洗濯兼脱水槽４に埋設固定している。
【００２７】
このため、図２に示すように、インサート成形されたフランジ２３と洗濯兼脱水槽４との間には境界部２３ａが存在する。境界部２３ａの内側は、インサート成型されていない非埋設部３２で、非埋設部３２は略十字形状をしており、略十字形状の端部３２ａは半円形状をしている。
【００２８】
さらに略十字形状の非埋設部３２は、図２の実線矢印に示すように、フランジ２３の中央部から、インサート成形の境界部２３ａに向けて下方に低くなるように傾斜部３１を形成している。また、傾斜部３１には、傾斜部３１の端部３２ａに近接する位置に、水抜き孔２５を設けている。また、洗濯兼脱水槽４の底部４ａには、図２の破線矢印のように、外周側から内周側に向けて低く傾斜するように傾斜面３０を形成している。
【００２９】
非埋設部３２の傾斜部３１を略十字形状としたのは、フランジ２３が洗濯兼脱水槽４にインサート成形されている埋設部３４の面積を大きくしてフランジ２３と洗濯兼脱水槽４との接合強度を大きくするためと、傾斜部３１を洗濯兼脱水槽４の底部４ａの外周近傍まで延設するためである。
【００３０】
傾斜部３１は、略十字形状に限らず、フランジ２３の中央部から外方へ延伸された放射形状であれば同様の効果を得ることができる。
【００３１】
このように、合成樹脂製の洗濯兼脱水槽４と回転軸１０を連結支持するフランジ２３を、インサート成形により、洗濯兼脱水槽４の底部４ａに埋設固定したことで、ねじで固定する場合に比べ洗濯兼脱水槽４下部の有効スペースが増え、洗濯機１の高さを高くすることなく、洗濯兼脱水槽４の容積を大型化することができる。
【００３２】
以上のように構成された洗濯機において、以下その動作、作用を説明する。
【００３３】
使用者が蓋１９を開いて衣類などの被洗浄物２６を洗濯兼脱水槽４内に投入し、洗濯機１の電源を入れてスタートボタンを押すと、モータ７によりパルセータ５が正逆回転して被洗浄物２６の量を検知する。そして、操作部（図示しない）に必要な洗剤量が表示されると、使用者は洗剤を所定の位置に投入し、蓋１９を閉じる。この後、給水弁１７を介して給水口１７ａから洗濯兼脱水槽４内に所定量の洗濯水が供給される。
【００３４】
所定量の洗濯水が供給されるとパルセータ５が正逆回転して被洗浄物２６を洗う洗い行程が行われる。
【００３５】
所定時間の洗い行程が終了すると排水弁１６により水槽３内の洗濯水が洗濯機１外へ排水される。そして、洗濯水が排水されると洗濯兼脱水槽４が高速回転して（例えば３００ｒ／ｍｉｎ）、第一の脱水行程が行われる。
【００３６】
第一の脱水行程が終了すると、再び給水弁１７から所定量のすすぎ水が供給されてパルセータ５が正逆回転し、被洗浄物２６をすすぐ第一のすすぎ行程が行われる。第一のすすぎ行程が終了すると、水槽３内のすすぎ水が洗濯機１外へ排水され、洗濯兼脱水槽４が高速回転する第二の脱水行程が行われる（例えば３００ｒ／ｍｉｎ）。
【００３７】
さらに、すすぎ水が供給されて最終すすぎ行程が行われ、その後、水槽３内のすすぎ水が排水され、洗濯兼脱水槽４が高速回転する最終の脱水行程が行われる（例えば８００ｒ／ｍｉｎ）。最終の脱水行程が行われると、運転が終了し、洗濯兼脱水槽４内の水は全て排水されることになる。
【００３８】
ここで、洗濯兼脱水槽４内の水は、底部４ａに設けた傾斜面３０により、フランジ２３に設けた非埋設部３２に流れ込む。非埋設部３２に流れ込んだ水は、フランジ２３に設けた傾斜部３１により、傾斜部３１の端部３２ａに向けて流れる。傾斜部３１の端部３２ａに向けて流れた水は、傾斜部３１の端部３２ａに設けた水抜き孔２５を通過して、洗濯兼脱水槽４の内部から水槽３へ排水される。非埋設部３２に設けた傾斜部３１は、洗濯兼脱水槽４の底部４ａの外周近傍まで延設されているので、洗濯兼脱水槽４の底部全体から効率よく排水される。このため、洗濯兼脱水槽４内に水が残ることはない。
【００３９】
ここで、洗濯機１が置かれている環境の温度は、夏季では、３０℃〜５０℃、冬季では、−５℃〜１０℃にまで変化することがあり、熱膨張係数の低いアルミニウム合金等の金属で形成されるフランジ２３と、ポリプロピレン等の熱膨張係数の高い合成樹脂で形成さ
れる洗濯兼脱水槽４の底部４ａの熱膨張係数の違いにより、フランジ２３と洗濯兼脱水槽４の底部４ａの境界部２３ａにストレスがかかり、図５と同様のごくわずかな隙間が発生することがある。
【００４０】
運転終了時に、仮にこの境界部２３ａの隙間に水が残ると、特に冬季には凍結して膨張し、隙間を拡大しフランジと洗濯兼脱水槽の底部とが剥離することにつながるが、本実施の形態によれば、洗濯兼脱水槽の底部から水は全て排出され、境界部２３ａに水が残ることは無いのでこのような事態を防止することができる。
【００４１】
このように、製品本体の高さを高くすることなく、洗濯兼脱水槽の容積を大型化すると共に、フランジと洗濯兼脱水槽との固定強度の確保と、製品の信頼性を確保することができる。
【産業上の利用可能性】
【００４２】
以上のように、本発明にかかる洗濯機は、洗濯兼脱水槽の底部をインサート成形し、洗濯兼脱水槽の強度的な信頼性を確保しつつ、洗濯兼脱水槽の容量を大型化することができるので、家庭用の縦型洗濯機に限らず、業務用やドラム式の洗濯機等の用途にも適用できる。
【符号の説明】
【００４３】
３  水槽
４  洗濯兼脱水槽
４ａ  底部
５  パルセータ
７  モータ
１０  回転軸
２３  フランジ
２３ａ  境界部
２５  水抜き孔
３１  傾斜部
３２ａ  端部
３３  外枠
【図１】
2014090945.tif 000003
【図２】
2014090945.tif 000004
【図３】
2014090945.tif 000005
【図４】
2014090945.tif 000006
【図５】
2014090945.tif 000007